(57)【特許請求の範囲】
【請求項１】
２つのサーボ読み取り素子の対と、これらのサーボ読み取り素子の対の間に配設され、線形データ記憶テープ（８２）に対して、データの読み取りおよび書き込みまたはこれらのいずれかを行う読み書き素子とを有する読み出し・書き込みヘッドを位置決めするための複数のサーボバンド（１０１，１０２，１０３，１０４）を、前記線形データ記憶テープ（８２）上に形成する方法であって、
前記複数のサーボバンドは、前記線形データ記憶テープの長手方向に沿って、前記長手方向に交わる横手方向に対して、前記２つのサーボ読み取り素子の対の間隔に対応する等しい間隔で形成され、
前記複数のサーボバンドそれぞれは、前記長手方向を、等しい間隔で前記横手方向に交わる同一の磁気転移（１０８）のパターンを含み、
前記隣接する２つのサーボバンドの対に含まれる前記磁気転移パターン同士は、これらのサーボバンドそれぞれを一意に識別可能な量ずつ長手方向に互いにオフセットされ、  前記読み書き素子は、前記磁気転移パターンにより識別される前記隣接する２つのサーボパターンの対の間に位置決めされる
方法。
【請求項２】
前記磁気転移のパターンは、所定のアジマス傾斜の磁気転移の交番バーストである
請求項１に記載の方法。
【請求項３】
前記オフセットさせるステップは、
隣接する２つのサーボバンドの対それぞれに含まれる２つのサーボバンドの磁気転移パターンに対して、隣接する２つのサーボバンドの他の対のいずれとも異なる量の相対的なオフセットを与える
請求項１に記載の方法。
【請求項４】
２つのサーボ読み取り素子の対と、これらのサーボ読み取り素子の対の間に配設された読み書き素子とを有する読み出し・書き込みヘッドにより、データの読み取りおよび書き込みまたはこれらのいずれかが行われる線形データ記憶テープ（８２）であって、
前記線形データ記憶テープには、その長手方向に交わる横手方向に対して、前記２つのサーボ読み取り素子の対の間隔に対応する等しい間隔で複数のサーボバンド（１０１，１０２，１０３，１０４）が形成され、
複数のサーボバンドそれぞれには、
前記長手方向を等しい間隔で前記横手方向に交わる同一の磁気転移パターン（１０８）であって、隣接する２つの前記サーボバンドの対に含まれる前記磁気転移パターン同士は、これらのサーボバンドそれぞれを一意に識別可能な量ずつ長手方向に互いにオフセットされた磁気転移パターンが形成される
線形データ記憶テープ。
【請求項５】
２つのサーボ読み取り素子の対と、これらのサーボ読み取り素子の対の間に配設された読み書き素子とを有する読み出し・書き込みヘッドにより、データの読み取りおよび書き込みまたはこれらのいずれかが行われる線形データ記憶テープ（８２）であって、その長手方向に交わる横手方向に対して、前記２つのサーボ読み取り素子の対の間隔に対応する等しい間隔で複数のサーボバンドを備え、
複数のサーボバンドそれぞれには、
前記長手方向を等しい間隔で前記横手方向に交わる同一の磁気転移パターン（１０８）であって、隣接する２つの前記サーボバンドの対に含まれる前記磁気転移パターン同士は、これらのサーボバンドそれぞれを一意に識別可能な量ずつ長手方向に互いにオフセットされた磁気転移パターンが形成され、
前記磁気転移パターンは、隣接する２つの前記サーボバンドの対を識別し、この対の間に前記読み書きヘッドを位置決めするために用いられる
線形データ記憶テープ（８２）。
【請求項６】
前記サーボバンドの前記長手方向パターンは、
異なるアジマス傾斜で、磁気転移の交番バースト
を備える
請求項５に記載の線形データ記憶テープ。
【請求項７】
隣接する２つのサーボバンドの１つの対において、２つのサーボバンドの磁気転移パターンに対しては、隣接する２つのサーボバンドの他の対のいずれとも異なる量の相対的なオフセットが与えられる
請求項５に記載の線形データ記憶テープ。
【請求項８】
２つのサーボ読み取り素子の対と、これらのサーボ読み取り素子の対の間に配設され、線形データ記憶テープ（８２）に対するデータの読み取りおよび書き込みまたはこれらのいずれかを行う読み書き素子とを有する読み出し・書き込みヘッド（８４）を位置決めする方法であって、
前記線形データ記憶テープには、その長手方向に沿って、２つのサーボ読み取り素子の対の間隔に対応する等しい間隔で形成された複数のサーボバンド（１０１，１０２，１０３，１０４）が形成され、
前記複数のサーボバンドそれぞれには、前記長手方向を等しい間隔で前記横手方向に交わる同一の磁気転移パターン（１０８）であって、隣接する２つの前記サーボバンドの対に含まれる前記磁気転移パターン同士は、これらのサーボバンドそれぞれを一意に識別可能な量ずつ長手方向に互いにオフセットされた磁気転移パターンが形成され、
前記方法は、
前記２つのサーボ読み取り素子により、隣接する２つの前記サーボバンド（１０１）の対それぞれから、前記磁気転移のパターン（１５１）を検出するステップと、
前記隣接する２つのサーボバンドの対の前記磁気転移のパターンの前記長手方向の位置と、前記隣接する２つのサーボバンドの他の対の前記磁気転移のパターンの前記長手方向の位置とを比較して、前記隣接する２つのサーボバンドの対と、前記隣接する２つのサーボバンドの他の対とを区別するステップと
を含む方法。
【請求項９】
前記磁気転移のパターンは、
所定のアジマス傾斜の磁気転移の交番バースト
を備え、
前記交番バースト間で時間間隔を比較し、前記サーボバンドに対する読み出し・書き込みヘッドの位置を決めるステップ
をさらに含む
請求項８に記載の方法。
【請求項１０】
前記比較ステップは、
隣接する２つのサーボバンドの１つの対の磁気転移のパターンを比較して、前記隣接する２つのサーボバンドの１つの対を、前記隣接する２つのサーボバンドの他の対から区別すること
を含む
請求項８に記載の方法。
【発明の詳細な説明】
【０００１】
【発明の属する技術分野】
本発明は線形テープ装置、および、タイミング基準サーボを有する線形テープ装置においてサーボ帯域または帯域をフォーマットし、識別する方法に関する。
【０００２】
【従来の技術】
線形テープは、比較的低価格であるため、アーカイブ用の大量ディジタルデータ格納媒体として普通に使用されている。たとえば、ディスク構成のメモリはの内容は、しばしば線形データ記憶テープにアーカイブされている。
【０００３】
データは線形テープの、テープの長手方向に延長する複数のトラックに書式付け（フォーマット）される。テープヘッドは、テープを横断して横に移動し、別々のトラックに読み書きできる。多くの場合、多重読み書き素子のあるテープヘッドを使用することにより多数トラックに同時に読取りまたは書込ができる。
【０００４】
線形データ記憶テープに読取りまたは書込を行なうとき、テープヘッドの実際の横方向位置が非常に重要である。このような精度を達成するには、サーボ帯域をテープに予め書込む。サーボ帯域は、読み書き中にテープヘッドにより検出されて線形テープに対するテープヘッドの正確な横方向位置を決定する。
【０００５】
図１は、概念的に、サーボ帯域の使用方法を示す。図１は、長手方向ｘに延伸し、横方向の寸法ｙを有する線形テープ10の１区画を示す。該テープは、複数のサーボ帯域12を備えている。図１の簡略例では、三つのサーボ帯域がある。サーボ帯域は、データ格納のため実際にテープを使用する前に、準備「フォーマット」工程中に、テープに書き込まれる。サーボ帯域は、指定距離だけ互いにテープの横方向（幅方向）に離れている。
【０００６】
データトラック14は、サーボ帯域の間に設けられている。データトラックの横方向の位置は、サーボ帯域に対して指定される。
【０００７】
テープ10に対して読み書きするとき、テープヘッドはサーボ読取り素子でサーボ帯域を検知し、それ自身をサーボ帯域に対して精密に位置決めする。テープヘッド内部でデータ読取り/書込素子はサーボ読取り素子に対して相対的に離して設置され、サーボ読取り素子が対応するサーボ帯域の上に正確に設置されたときデータ読取り/書込素子がデータトラ ック14の上に位置決めされる。
【０００８】
実際の一実施例では、線形テープは、三つより多いサーボ帯域を備えている。多数のテープヘッドは、或る所定時刻に隣接する二つのサーボ帯域に跨がり、これらサーボ帯域の間のデータトラックに対してだけ読取りまたは書込を行なう。他のデータトラックを読み書きするには、このようなテープヘッドを位置決めしなおして別の二つのサーボ帯域に跨がるようにする。
【０００９】
サーボ帯域から横方向位置の情報を得るにはいろいろな方法がある。一つのありふれた方法は、サーボ帯域を二つの半帯域に分割し、これに二つの異なる周波数や異なる時刻に発生するバーストのような別々の情報を記録することである。単一サーボヘッドが半帯域間の境界を跨ぎ、位置情報がそれぞれの半帯域から発生される信号の振幅応答または位相応答を比較することにより得られる。
【００１０】
別の方法が、データ・ストーレージ・マガジン、1997（ｐ．41)で、アルブレヒト等の著した「線形テープ駆動装置用時間基準トラック追跡サーボ」に説明されており、これをここに参考のため記載しておく。この方法は、狭いサーボヘッドが可変サーボ帯域を連続的に読取るタイミング基準サーボを使用している。
【００１１】
図２は、連続可変、時間基準サーボパターンの一例を、サーボパターン上方に設置されたサーボ読取り素子により発生された信号と共に示している。パターンは、二つの異なる方位角傾斜を有する交番磁気転移から構成されている。読取り素子により発生されるパルスの相対タイミングは、ヘッドの横方向位置によって決まる。
【００１２】
更に詳細に記せば、図２に示すサーボ帯域は、交番方位角傾斜を有するテープに記録された、「ストライプ」20および22という一連の磁気転移20および22を備えている。一つおきのストライプ20は、正の傾斜を有するが、間にあるストライプは負の傾斜を有する。
【００１３】
図２は、参照数字24により示した、サーボヘッドの経路および幅を示している。サーボヘッドは、ストライプ自身の全横幅よりかなり小さい横幅を読取る。サーボヘッドにより発生される信号は、記録線26により表されており、例示磁気転移ストライプの直下に示されている。サーボヘッドがストライプに遭遇すると、正のパルスを発生する。サーボヘッドがストライプを離れると、負のパルスを発生する。
【００１４】
横方向位置情報をパルス間の距離を比較することにより得ることができる。たとえば、第１の距離Ａを正のストライプから次の負のストライプまでの距離と規定することができ、一方、第２の距離Ｂを負のストライプから次の正のストライプまでの距離と規定することができる。サーボヘッドがサーボ帯域上の中心にあると、ＡはＢに等しく、連続パルスが等しい間隔で発生する。
【００１５】
実際の実施例では、ストライプの交番「バースト」が使用され、バーストは、一つ以上の磁気転移ストライプと規定されている。
【００１６】
図３は、磁気転移ストライプの交番バーストを利用するサーボ帯域配置の一例を示す。各バーストは前のバーストとは反対の方位角傾斜を有する。サーボパターンは、繰返しフレームを備えている。各フレームには第１の部分フレームＡおよび第２の部分フレームＢがある。各部分フレームは一対のバーストを有し、各フレームのバーストは、異なる方位角傾斜を有している。部分フレームＡは、正の方位角傾斜を有する五つの等間隔ストライプのある第１のバースト38を有している。部分フレームＡは、負の方位角傾斜を有する五つの等間隔ストライプのある第２のバースト40を有している。部分フレームＢは、これらバーストの各々が四つのストライプを有することの他は、同様のバースト42および44を有する。
【００１７】
データを格納するためにテープを実際に使用する前にサーボ帯域をテープに記録するのが好ましい。図２および図３に示すようなサーボ帯域の精密な間隔を確保するためには、多数のサーボ帯域の対応するストライプを同時に書込むよう構成されたパターン化書込ヘッドを使用するのが望ましい。
【００１８】
図４は、多数のサーボ帯域を単一の線形テープに書込むためのパターン化書込ヘッドの一例を示している。ヘッドの書込パターンを四つのサーボ帯域48を有する下層の線形テープ46に対して示してある。各サーボ帯域に対応する横方向の位置で、書込ヘッドのパターンは、書込素子または間隙の対を備えている。各対の一つの素子50は、正の傾斜を有する磁気転移ストライプを作るよう構成されている。各対の別の素子52は、負の傾斜を有する磁気転移ストライプを作るよう構成されている。この構成を使用して、ヘッドに加わる単一電流パルスが、サーボ帯域のすべてに同時にストライプを書込む。このようなパルスを繰返して、所要間隔の所要パターンを成すストライプを作る。
【００１９】
サーボ帯域を確定するこの方法は、効率が良く且つ正確であるが、各サーボ帯域を同一パターンで符号化する必要がある。こうすると一つのサーボ帯域を他から区別するのが不可能になる。
【００２０】
しかし、サーボ帯域の区別は、線形データテープに読み書きするとき非常に重要であり、所与のサーボ帯域の識別が不正確であるのは問題である。上述のサーボ帯域は、特定のサーボ帯域が識別されたら高度の相対位置決め精度を与えるが、テープ駆動装置機械は一般に、検知サーボ帯域を識別しそれを他のサーボ帯域から区別するのに十分なテープ/ヘッド位置決めの絶対精度を与えない。
【００２１】
【発明が解決しようとする課題】
本発明は、サーボ帯域を一義的に識別し、サーボ帯域同志を区別する方法を与えることを目的とする。本発明の方法は、複数の磁気転移が単一パルスで書込ヘッドに書込まれるというパターン化サーボ書込ヘッドの利点をなお維持している。
【００２２】
【課題を解決するための手段】
本発明によれば、各タイミング基準サーボ帯域が同一パターンの磁気転移を有しており、これらはパターン化サーボ書込ヘッドで容易に書込むことができる。ここで、該ヘッドは、別々のサーボ帯域のタイミング・パターンが線形テープの長手方向で互いに偏るようにパターン化されている。更に詳細に述べれば、サーボ帯域の各隣接対は、他のサーボ帯域の隣接対に対して異なるタイミング関係を示し、それにより各対を他のサーボ帯域対から一義的に識別し区別することができる。
【００２３】
【発明の実施の形態】
図５は、本発明による線形テープ記憶装置80の各素子を示す。装置80は、線形記憶テープ82、テープ読取り/書込ヘッド84、テープをテープヘッドを通って移動させる駆動装置86、および制御電子回路88を備えている。
【００２４】
図６は、線形記憶テープ82の一区画を示す。複数のサーボ帯域がテープ82の長手方向に延伸している。この例では、テープは、101、102、103、および104と記した四つのサーボ帯域を備えている。複数のデータトラック（図示せず）がサーボ帯域のそれぞれの対の間に設置されている。図６は、概念的図解の目的で描いたものであり、したがって様々な例示テープ形体の相対的大きさを示すものではないことに注目する。
【００２５】
この実施例では、データ記憶テープ82は、一対のサーボ読取り素子および複数の介在データ読み書き素子を有するテープヘッドとともに使用するよう設計されている。したがって、サーボ帯域は、介在データトラックまたはバンドルを伴なってテープを横断して互いに横方向に離して設けられている。使用中、読み書きヘッド84（図５）は、隣接する一対のサーボ帯域上に位置決めされ、データがテープヘッドのデータ読み書き素子を使用してこれらサーボ帯域間で読み取られまたは書込まれる。したがって、データトラックの各組または各バンドルは、周囲にあるサーボ帯域対に関係している。本発明は、このような各サーボ帯域対を他のサーボ帯域対から区別できるようにする。
【００２６】
すべてのサーボ帯域は、同様のまたは同一の、磁気転移またはストライプの長手方向パターンを有している。各パターンは、図４に示したパターンと同様であり、非ゼロ方位角磁気転移の交番バースト108を備えている。一つ置きにバーストは、正の傾斜の遷移を有し、それらの間に介在するバーストは負傾斜の遷移を有する。例示の目的で、各バーストを図６に単一線として示してある。線を傾斜させて対応するバースト内部の転移の傾斜を示している。バーストは、正および負の傾斜の対を成して構成されている。フレームは、二つの隣接対から構成されている。図６において、フレームの先導バーストは、フレームの残りのバーストより比較的太い線により示されている。
【００２７】
本発明によれば、それぞれのサーボ帯域のパターンは、互いに対して長手方向に偏っている、即ちオフセットされている。更に詳細に言えば、サーボ帯域の各それぞれの隣接対の二つのサーボ帯域の間に異なる長手方向偏りがある。
【００２８】
図示した例では、サーボ帯域102および103は、サーボ帯域101および104からフレームの半分だけ偏っている。更に詳細に言えば、帯域102および103は、帯域101および104の対応するフレームの開始後距離ｄで始まるように長手方向に設置されており（右から左へのテープ移動を仮定している）、ｄはフレームの全長の半分に等しい。
【００２９】
サーボ帯域ストライプ・パターンの長手方向偏りのため、サーボ帯域のどの対をも、二つのサーボ帯域のそれぞれのストライプ・フレームのタイミング関係により一義的に識別することができる。説明した例では、テープ読み書きヘッドの三つの可能な位置が存在する。すなわちサーボ帯域101および102の上方、サーボ帯域102および103の上方、およびサーボ帯域103および104の上方である。各位置で、読み書きヘッドにより発生された二つのサーボ信号の間に独特のタイミング関係が存在する。テープヘッドのサーボ読取り素子がサーボ帯域101および102の上方にある第１の位置で、第１のサーボ読取り素子（サーボ帯域101の上方にある）により発生された信号は、第２の読取り素子（サーボ帯域102の上方にある）により発生された信号に先行する。テープヘッドのサーボ読取り素子がサーボ帯域102および103の上方にある第２の位置で、第１のサーボ読取り素子（サーボ帯域102の上方にある）により発生された信号は、第２の読取り素子（サーボ帯域103の上方にある）により発生された信号と一致する。テープヘッドのサーボ読取り素子がサーボ帯域103および104の上方にある第３の位置で、第１のサーボ読取り素子（サーボ帯域103の上 方にある）により発生された信号は、第２の読取り素子（サーボ帯域104の上方にある） により発生された信号より遅れる。したがって、任意の二隣接サーボ帯域パターンの時間基準比較により任意のサーボ帯域対を他のサーボ帯域対から区別できる。これにより、データをサーボ帯域に対して横方向で位置決めされたデータトラックで読取りまたは書込むとき、データトラックまたはバンドルの明白な識別が可能になる。
【００３０】
図７は、サーボ読取り素子およびデータ読み書き素子がテープヘッド84に好適に構成されるときのそれらのパターンを示している。パターンは、テープ82の二つのサーボ帯域と同じ距離に横方向に離れて設置されている一対のサーボ読取り素子120および121を備えている。サーボ読取り素子は、サーボ帯域ストライプに比較して狭い。説明した実施例では、サーボ読取り素子は、サーボ帯域ストライプの幅の約2.9％である。サーボ読取り素子間には複数の通常のデータ読み書き素子124がある。
【００３１】
図８は、テープをデータ格納に使用する前にテープ82にサーボ帯域を確定するのに使用されるサーボ書込ヘッド84を示す。サーボ書込ヘッド84は、単独書込パルスで作動されて線形データ記憶テープを横方向に横断して複数の磁気転移ストライプを同時に生ずるサーボ書込素子のパターンを備えている。書込素子パターンを、サーボ帯域101、102、103、および104を備えた線形テープ82に対して示してある。
書込間隙のパターンは、線形データ記憶テープ上の複数のサーボ帯域の各々に対して少なくとも一対の磁気転移ストライプを備えさせる。どんな所定対の二つの磁気転移ストライプも異なる方位角傾斜を有している。更に詳細に記せば、書込ヘッド・パターンは、書込ヘッド上の別々の横方向位置に、サーボ帯域101、102、103、および 104に対応する書込間隙対151、152、153、および154を備えている。各対の一つの間隙（「Ａ」の接尾字を付けてある）は、正の傾斜を有する磁気転移ストライプを生ずるよう構成されている。各対の他の間隙（「Ｂ」の接尾字を付けてある）は、負の傾斜を有する磁気転移ストライプを生ずるよう構成されている。様々な書込素子または間隙は、繰返してパルスを与えられ、図６に示すサーボ帯域パターンを生ずる。これらの対は、線形データ記憶テープの長手方向に互いに対して偏っている。偏りは、書込素子のどんな二つの隣接対の間の偏りも書込素子のどんな他の二つの隣接対の間の偏りとも違うように計算されている。
【００３２】
書込ヘッド84を使用して任意の所与パターンを書込むと、この構成により、各サーボ帯域に同じパターンを生ずる。ただし、間隙152および153により書込まれた帯域は、間隙151および154により書込まれた帯域を、フレーム長の半分であるｄに等しい距離だけ後ろにずれる（右から左へのテープ移動を仮定）。
【００３３】
本発明を主としてその構造的特徴について説明してきたが、本発明は、方法ステップの特徴をも備えている。たとえば、本発明は、線形データ記憶テープ上の位置情報を確定する方法を備えている。このような方法は、複数のサーボ帯域を線形データ記憶テープの長手方向に書込むことから成り、この場合、サーボ帯域は、磁気転移またはストライプの同様の長手パターンを備えている。本発明の方法はまた、サーボ帯域を線形データ記憶テープを横に横断して間隔をあけることを備えている。更に、サーボ帯域に対して横位置にあるデータを読み書きするときサーボ帯域を互いに区別するため、サーボ帯域の磁気転移パターンを各他のそれに対して長手方向で偏りをもたせるステップを備えている。
【００３４】
本発明はまた、線形データ記憶テープに対するテープヘッドの横方向位置を決定する方法を含む。この方法は、線形データ記憶テープの隣接サーボ帯域に沿う磁気転移ストライプのパターンをテープヘッドにより検出するステップを備えている。本発明に従う更に他のステップは、記憶テープに関する交番転移バーストの間の時間間隔を比較してサーボヘッドに対するヘッド位置を決定することを備えている。この方法は更に、磁気転移ストライプのパターンの長手方向の関係を比較して前記隣接サーボ帯域を線形データ記憶テープ上の他のサーボ帯域から区別するステップを備えている。
【００３５】
本発明を四つのサーボ帯域を使用するシステムの場合で説明し図解してきたが、本発明をこれより多いまたは少ないサーボ帯域を使用するシステムに適応させることもできる。多いサーボ帯域を使用するには、サーボ帯域の異なる隣接対の間に異なる偏りｄを使用し、この場合最小の偏りはフレーム長の1/3または1/4のようなフレーム長の半分より短く、他の偏りは最小偏りの整数倍である。テープに対して読取りまたは書込を行なうと、サーボパターンのタイミングの移動の大きさおよび方向が検出され、現在どのサーボ帯域がテープヘッドのサーボ読取りヘッドの下にあるかが決定される。
【００３６】
本発明を構造特徴および/または方法に特有の言語で説明してきた。しかし、付記した特許請求の範囲で規定した本発明は必ずしも上述の特定の特徴またはステップに限定されないことを理解すべきである。そうではなくて、特定の特徴またはステップは、本発明を実施する例示形態として開示したものである。
本発明の多様な実施のための一助に、以下に本発明の実施態様の数例を示す。
【００３７】
（実施態様１）
線形データ記憶テープ（82）上に位置情報を確定する方法であって、
前記線形データ記憶テープの長手方向に、磁気転移の互いに類似な長手方向パターン(108)を備えた複数のサーボ帯域（101-104）を書込むステップと、
前記線形データ記憶テープを横方向に横断して前記サーボ帯域の間隔をあけるステップと、
前記サーボ帯域に対して横方向位置にあるデータを読取り、書込むとき、前記サーボ帯域を互いに区別するため、一の前記パターンに各他の前記パターンに対して長手方向で所定の偏りを持たせるステップと、
を備えていることを特徴とする位置情報を確定する方法。
【００３８】
（実施態様２）
サーボ帯域の長手方向パターンは、別々の方位角傾斜にある磁気転移の交番バーストを備えていることを特徴とする実施態様１に記載の位置情報を確定する方法。
（実施態様３）
所定の偏りを持たせるステップは、サーボ帯域の別々の隣接対について別々の相対的偏りを使用することを特徴とする実施態様１に記載の位置情報を確定する方法。
（実施態様４）
図１に記載のステップに従って製造されたことを特徴とする線形データ記憶テープ（82）。
【００３９】
（実施態様５）
線形データ記憶テープ（82）であって、
前記線形データ記憶テープの長手方向に設けられ、該線形データ記憶テープの横方向で互いに離隔して設けられている、互いに類似の長手方向磁気転移パターン(108)を有する複数のサーボ帯域（101）、 を備え、
サーボ帯域に対してその横方向位置でデータを読取り、書込むとき、該サーボ帯域を互いに区別するために、該磁気転移パターン(108)が互いに他に対して長手方向で所定の偏りを有していることを特徴とする線形データ記憶テープ（82）。
（実施態様６）
前記長手方向パターンは、異なる方位角傾斜の磁気転移の交番バーストであることを特徴とする実施態様５に記載の線形データ記憶テープ（82）。
（実施態様７）
前記サーボ帯域の異なる隣接対は異なる相対偏りを有することを特徴とする実施態様５に記載の線形データ記憶テープ（82）。
【００４０】
（実施態様８）
線形データ記憶テープ（82）に対するテープヘッド（84）の位置を決定する方法であって、
前記線形データ記憶テープ上の隣接サーボ帯域（101）に沿う磁気転移ストライプのパターンをテープヘッドで検出するステップと、
該磁気転移ストライプのパターンの長手方向の関係を比較して前記隣接サーボ帯域を線形データ記憶テープ上の他のサーボ帯域から区別するステップと、
を備えていることを特徴とするテープヘッドの位置決定方法。
（実施態様９）
前記線形データ記憶テープ上の各サーボ帯域は、磁気転移ストライプの類似のパターンを有し、前記類似のパターンは、異なる方位角傾斜の磁気転移の交番バーストを備え、
更に、交番バースト間の時間間隔を比較してサーボ帯域に対するテープヘッドの位置を決定するステップを追加して備えていることを特徴とする実施態様８に記載のテープヘッドの位置決定方法。
（実施態様１０）
前記交番バースト間の時間間隔の比較は、前記サーボ帯域の隣接対のパターンを比較してサーボ帯域の隣接対をサーボ帯域の別の対から区別することから成ることを特徴とする実施態様８に記載のテープヘッドの位置決定方法。
【図面の簡単な説明】
【図１】線形テープ上のサーボ帯域とデータトラックとの配置を示す従来技術による線形テープの一部を示す図である。
【図２】図１に示した線形テープのサーボ帯域に利用できるようなタイミング・パターンを、このようなタイミング・パターンから生ずる読取り信号の記録線と共に示す図である。
【図３】磁気転移のバーストまたはストライプを使用する、図２に示すパターンに類似のタイミング・パターンを示す図である。
【図４】下層の線形テープに対するサーボ書込ヘッドが備える従来技術の書込素子パターンを示す図である。
【図５】本発明による線形テープ記憶装置80の簡略ブロック図である。
【図６】本発明による線形テープの一区画を示し、そのタイミング基準サーボパターンを示す図である。
【図７】本発明によるテープヘッドの素子の、本発明に従ってフォーマットされた線形テープの下層区画に対する配置を示す図である。
【図８】本発明によるサーボ書込ヘッドのサーボ書込素子を、本発明に従ってフォーマットしようとする線形テープの下層区画に対して示す図である。
【符号の説明】
８２・・・線形データ記憶テープ
１０１〜１０４・・・サーボ帯域
１０８・・・磁気転移の互いに類似な長手方向パターン
【図１】
0004266423.tif 000002
【図２】
0004266423.tif 000003
【図３】
0004266423.tif 000004
【図４】
0004266423.tif 000005
【図５】
0004266423.tif 000006
【図６】
0004266423.tif 000007
【図７】
0004266423.tif 000008
【図８】
0004266423.tif 000009